(57)【特許請求の範囲】
【請求項１】
開放端を持つ枠体（１）の両端部（１Ａ）が上面に開口部を有するバスケット本体（３）の両外側面（３Ａ）に回転自在に取り付けられ、可撓性のカバー（２）が枠体（１）とバスケット本体（３）との間に取り付けられたひったくり防止装置付バスケットにおいて、
カバー（２）は、一端側が枠体（１）の中間部（１Ｂ）に取り付けられ、他端側がバスケット本体（３）の前面（３Ｂ）に取付けられ、
枠体（１）を前倒しすると、枠体（１）の中間部（１Ｂ）がバスケット本体（３）の前面（３Ｂ）を越え且つ前面３（Ｂ）の上縁部よりも下方に位置し、カバー（２）がバスケット本体（３）の開口部を開放し、枠体（１）を後倒しすると、カバー（２）がバスケット本体（３）の開口部を覆うように構成されていることを特徴とするひったくり防止装置付バスケット。
【請求項２】
開放端を持つ枠体（１）の両端部（１Ａ）が上面に開口部を有するバスケット本体（３）の両外側面（３Ａ）に回転自在に取り付けられ、可撓性のカバー（２）が枠体（１）とバスケット本体（３）との間に取り付けられたひったくり防止装置付バスケットにおいて、
カバー（２）は、一端側が枠体（１）の中間部（１Ｂ）に取り付けられ、他端側がバスケット本体（３）の後面（３Ｂ）に取付けられ、
枠体（１）を前倒しすると、カバー（２）がバスケット本体（３）の開口部を覆い、枠体（１）を後倒しすると、枠体（１）の中間部（１Ｂ）がバスケット本体（３）の後面（３Ｃ）を越え且つ後面３（Ｃ）の上縁部よりも下方に位置し、カバー（２）がバスケット本体（３）の開口部を開放するように構成されていることを特徴とするひったくり防止装置付バスケット。
【請求項３】
バスケット本体（３）に対する枠体（１）又はカバー（２）の少なくとも一方の取り付け位置が調整可能であることを特徴とする請求項１又は請求項２に記載のひったくり防止装置付バスケット。
【請求項４】
カバー（２）をバスケット本体（３）に取付けるための取付部材（４）又はカバー（２）自体が伸縮自在であることを特徴とする請求項１〜３のいずれか１項に記載のひったくり防止装置付バスケット。
【請求項５】
バスケット本体（３）に枠体（１）のロック部材（５）が設けられていることを特徴とする請求項１〜４のいずれか１項に記載のひったくり防止装置付バスケット。
【請求項６】
バスケット本体（３）に対し、枠体（１）、カバー（２）又はロック部材（５）の少なくとも一つが着脱自在となっていることを特徴とする請求項１〜５のいずれか１項に記載のひったくり防止装置付バスケット。
【発明の詳細な説明】
【０００１】
【発明の属する技術分野】
本発明は、自転車等で荷物を運搬する際のひったくり被害が防止可能で、高さのある荷物の運搬にも支障が生じないバスケットに関するものである。
【０００２】
【従来の技術】
自転車等のバスケットに荷物を入れて走行中、その荷物をひったくられるという被害が急増している。そのため、従来からバスケットの上面開口部にカバーを設けたひったくり防止装置付バスケットが種々知られている。
【０００３】
例えば、特開２０００−１５９１６８号公報に開示されたバスケットは、硬質カバーをバスケットの上面に沿って開閉自在に設け、かつ、自転車の走行中は必ずバスケットを覆うように施錠するものである。従って、犯人は硬質カバーを破壊しなければ、荷物をひったくることができない。
【０００４】
【発明が解決しようとする課題】
しかしながら、バスケットの上面に沿う硬質カバーで開口部を完全に覆ってしまうと荷物の積載空間が著しく制限されてしまう。即ち、バスケットの上面開口部から突き出る高さの荷物を運搬しようとすると硬質カバーを閉めることができなくなってしまい、逆に、硬質カバーを確実に閉めるためにはバスケット内に完全に納まる大きさの荷物しか運搬できなくなってしまうのである。
【０００５】
一方、ひったくりの防止には従来例ほど強固なカバーを用いなくても効果を奏する。即ち、犯人は走行中の自転車から荷物をつかんで直ちに逃げ去るものであるから、ひったくりに邪魔になる程度のカバーがあるだけで心理的に大きな圧力となり、被害を防げるのである。
【０００６】
そこで本発明は、ひったくり被害を効果的に防止しつつ、高さのある荷物の運搬に支障が生じることもなく、カバーを取り付けない場合とほぼ同様の積載量を確保できるひったくり防止装置付バスケットを提供することを目的とするものである。
【０００７】
【課題を解決するための手段】
本発明は、以上の課題を解決するためになされたものであり、請求項１に記載の発明は、開放端を持つ枠体の両端部が上面に開口部を有するバスケット本体の両外側面に回転自在に取り付けられ、可撓性のカバーが枠体とバスケット本体との間に取り付けられたひったくり防止装置付バスケットにおいて、カバーは、一端側が枠体の中間部に取り付けられ、他端側がバスケット本体の前面に取付けられ、枠体を前倒しすると、枠体の中間部がバスケット本体の前面を越え且つ前面の上縁部よりも下方に位置し、カバーがバスケット本体の開口部を開放し、枠体を後倒しすると、カバーがバスケット本体の開口部を覆うように構成されていることを特徴とし、請求項２に記載の発明は、開放端を持つ枠体の両端部が上面に開口部を有するバスケット本体の両外側面に回転自在に取り付けられ、可撓性のカバーが枠体とバスケット本体との間に取り付けられたひったくり防止装置付バスケットにおいて、カバーは、一端側が枠体の中間部に取り付けられ、他端側がバスケット本体の後面に取付けられ、枠体を前倒しすると、カバーがバスケット本体の開口部を覆い、枠体を後倒しすると、枠体の中間部がバスケット本体の後面を越え且つ後面の上縁部よりも下方に位置し、カバーがバスケット本体の開口部を開放するように構成されていることを特徴としている。
【０００８】
そして好ましくは、バスケット本体に対する枠体又はカバーの少なくとも一方の取り付け位置が調整可能であり、カバーの取付部材又はカバー自体が伸縮自在であるひったくり防止装置付バスケットに係るものである。
【０００９】
また、バスケット本体に枠体のロック部材を設けることが好ましく、更に、バスケット本体に対し、枠体、カバー又はロック部材の少なくとも一つが着脱自在となっていることが好ましい。
【００１０】
【発明の実施の形態】
本発明のひったくり防止装置付バスケットは、従来例と同様に、バスケットの上面開口部をカバーで覆ってひったくり被害を防ぐものである。ここで、本発明のカバーは可撓性を有している。従って、荷物の形状に応じてカバーが自由に変形でき、カバーとバスケットとの隙間も拡大できるから、大きな凹凸のある荷物や部分的に高さのある荷物にも対応可能となっている。なお、可撓性のカバーであっても、カバーを開けなければ荷物が取り出し難いから、ひったくり防止には十分な効果がある。また、このカバーは荷物の雨よけにもなる。
【００１１】
カバーは、枠体とバスケット本体との間に取り付けられる。即ち、可撓性を有するカバーを保持するために枠体を使用し、例えば枠体の中間部とバスケット本体の前面又は後面との間にカバーを取り付けるのである。枠体は開放端を持つものであり、例えば中空又は中実のステンレス等からなる金属棒をバスケット本体の形状に合わせてコ字状や半円状等に曲げて形成することができる。そして、枠体の両端部がバスケット本体の両側面に回転自在に取り付けられる。従って、カバーを枠体の中間部とバスケット本体の前面との間に取り付けた場合には、枠体をバスケット本体の前面側に向けて前倒しすれば、可撓性のカバーが折り畳みや弛む等された状態になってカバーが開く。一方、枠体をバスケット本体の後面側に向けて後倒しすれば、可撓性のカバーが引っ張られた状態になってカバーが閉じる。なお、カバーを枠体の中間部とバスケット本体の後面との間に取り付けた場合には、枠体を倒す方向とカバーの開閉とが逆になる。
【００１２】
また、本発明のひったくり防止装置付バスケットでは、特徴的に、枠体を前倒しするとその中間部がバスケット本体の前面を越えるか、又は、枠体を後倒しするとその中間部がバスケット本体の後面を越えるように構成されている。前者の場合、例えば、枠体とバスケット本体との取り付け位置が、バスケット本体の側面上部の前面側であって、枠体を後倒しした際にその両端部がバスケット本体の後面まで至る長さであるならば、枠体を前倒しした際にその中間部がバスケット本体の前面を越える。なお、後者の場合には、枠体の取り付け位置をバスケット本体の後面側等にすればよい。
【００１３】
このように構成するのは、全体的に高さのある荷物を積載する場合であっても支障なくカバーを開閉できるようにするためである。即ち、枠体の中間部が前倒し（後倒し）時にバスケット本体の前面（後面）を越えるものであれば、前面（後面）を越える分だけ枠体が鉛直方向に立った位置における中間部の高さを増すことができる。従って、全体的に高さのある荷物であっても枠体の中間部はその上側を通過するから、カバーが閉められるのである。なお、枠体はその側面視が直線状である必要はなく、折れ曲がり部を有する形状として、カバーの開閉を簡便にしたり、カバーを閉じた状態における高さが増すようにしてもよい。
【００１４】
ところで、枠体とバスケット本体との取り付け位置は、調整可能にしておくことが好ましい。このようにすれば、様々な形状を有するバスケット本体に対し、上面開口部を広く覆いつつ、枠体が鉛直方向に立った状態における中間部の高さが最大限となる位置に枠体を取り付けることができるからである。
【００１５】
また、カバーもその一端側がバスケット本体の前面（後面）に取り付けられるが、この取り付け位置も調整可能にしておくことが好ましい。即ち、バスケット本体の前面（後面）の上部から下部にかけての適当な位置に取り付けられるようにするのである。このようにすれば、枠体と無関係にカバーの弛みを調整でき、様々な形状の荷物に対応できるようになる。
【００１６】
更に、カバーの取付部材又はカバー自体を伸縮自在なものにしておけば、荷物の形状に対して一層柔軟な対応が可能となる。なお、伸縮自在にするためには、例えば取付部材やカバー自体をゴムで形成したり、網目状等のものを使用すればよい。
【００１７】
本発明のひったくり防止装置付バスケットは、枠体をバスケット本体の後面側（前面側）に向けて後倒し（前倒し）すれば、可撓性のカバーが引っ張られた状態になってカバーが閉じるものであるが、この状態を確実に維持してひったくりを一層困難にするために、バスケット本体に枠体のロック部材を設けることができる。このロック部材としては、例えば弾性を有するロック部材の凹溝内に枠体の中間部を嵌め込む等するものが考えられ、更にひったくり防止効果を上げるために、凹溝部に施錠機構を設けることもできる。なお、ロック部材の固定位置は枠体との位置関係に応じて適宜選定すればよいが、枠体を後倒ししてカバーを閉じる場合はバスケット本体の後面、枠体を前倒ししてカバーを閉じる場合はバスケット本体の前面が適当である。
【００１８】
また、本発明のひったくり防止装置付バスケットは、既存のバスケット本体に後から枠体やカバー、更にはロック部材を取り付けて構成することもできる。この場合、後付けする枠体やカバー、ロック部材を予め着脱自在にしておけば簡単である。なお、着脱自在とすることにより、一部が壊れた場合の取り替えも容易になる。
【００１９】
【実施例】
以下、本発明の好ましい実施の形態の具体例を図面により説明する。図１〜図３は、本発明のひったくり防止装置付バスケットを自転車に適用した第１実施例を示す図であり、図１はその側面図、図２は図１のバスケット部分の上面図、図３は図１のバスケット部分の一部断面側面図である。
【００２０】
図１〜図３に示すように、第１実施例のひったくり防止装置付バスケットは、コ字状の枠体１の両端部１Ａをバスケット本体３の両側面３Ａに支持部材６で回転自在に取り付けてある。従って、枠体１はバスケット本体３の両側面３Ａの上部を支点として回転し、枠体１をバスケット本体３の前面３Ｂ側に向けて前倒しすれば、可撓性のカバー２が弛んだ状態になってバスケット本体３の上面が開口し、枠体１をバスケット本体３の後面３Ｃ側に向けて後倒しすれば、カバー２が引っ張られた状態になってバスケット本体３の上面が閉口する。
【００２１】
ここで、図１及び図２の通り、枠体１の前倒し状態ではその中間部１Ｂがバスケット本体３の前面３Ｂを越えている。従って、枠体１が鉛直方向に立った図１の点線で示す位置において十分な高さを確保できるので、全体的に高さのある荷物を積載しても支障なくカバー２を閉めることが可能となり、枠体１の後倒し状態でバスケット本体３の上面が全てカバー２で覆われる。
【００２２】
また、図１及び図３の通り、枠体１は側面視で折れ曲がり部１Ｃを有する形状となっている。そのため、枠体１の前倒し状態においても中間部１Ｂを簡単に持つことができるので、カバー２を容易に閉めることができる。しかも、枠体１の後倒し状態における高さも増すことができるので、バスケット本体３の容積以上の積載空間が確保される。
【００２３】
なお、第１実施例のひったくり防止装置付バスケットには、バスケット本体３の後面３Ｃに枠体１のロック部材５が設けられている。ロック部材５は、図３に示す通り、凹溝部５Ａと弾性板５Ｂとで構成されており、枠体１を倒せば簡単にロックでき、凹溝部５Ａを押して弾性板５Ｂを曲げれば簡単に枠体１を外せる。
【００２４】
可撓性を有するカバー２は、枠体１の中間部１Ｂとバスケット本体３の前面３Ｂとの間に取り付けられている。図４はカバー２の一部拡大図であり、カバー布地に取付部材４を縫い付けたものである。そして、枠体１の中間部１Ｂとは、折り曲げ角部４Ａ及び帯材４Ｂで着脱自在に取り付けられ、バスケット本体３の前面３Ｂとは、伸縮帯材４Ｃで着脱自在に取り付けられる。
【００２５】
従って、図３に示すように、カバー２はバスケット本体３の前面３Ｂにある横枠のどの位置にも取り付けることができ、着脱自在で、取り付け位置の調整も可能となっている。しかも、伸縮帯材４Ｃによってカバー２が伸縮自在であり、カバー２自体も可撓性を有しているから、積載荷物の高さ、凹凸等の変化に柔軟に対応でき、雨よけにもなる。
【００２６】
図５は、本発明のひったくり防止装置付バスケットの第２実施例を示す側面図である。第２実施例は、第１実施例のロック部材５を省略して枠体１の開閉を容易にしたものであり、この場合の枠体１の後倒し状態は、カバー２の張力との釣り合い位置になる。
【００２７】
【発明の効果】
本発明のひったくり防止装置付バスケットは、枠体がバスケット本体に回転自在に取り付けられ、可撓性を有するカバーが枠体とバスケット本体との間に取り付けられており、枠体を前倒しするとその中間部がバスケット本体の前面を越えるか、又は、枠体を後倒しするとその中間部がバスケット本体の後面を越えるように構成されているので、ひったくり被害を効果的に防止できるだけでなく雨よけにもなり、しかも、高さのある荷物の運搬に支障が生じることがなく、カバーを取り付けない場合とほぼ同様の積載量を確保できる。
【図面の簡単な説明】
【図１】図１は、本発明のひったくり防止装置付バスケットを自転車に適用した第１実施例を示す側面図である。
【図２】図２は、図１に示す第１実施例のバスケット部分の上面図である。
【図３】図３は、図１に示す第１実施例のバスケット部分の一部断面側面図である。
【図４】図４は、図１に示す第１実施例のカバーの一部拡大図である。
【図５】図５は、本発明のひったくり防止装置付バスケットを自転車に適用した第２実施例を示す側面図である。
【符号の説明】
１‥枠体
１Ａ‥枠体の両端部
１Ｂ‥枠体の中間部
１Ｃ‥枠体の折れ曲がり部
２‥カバー
３‥バスケット本体
３Ａ‥バスケット本体の両側面
３Ｂ‥バスケット本体の前面
３Ｃ‥バスケット本体の後面
４‥取付部材
４Ａ‥折り曲げ角部
４Ｂ‥帯材
４Ｃ‥伸縮帯材
５‥ロック部材
５Ａ‥凹溝部
５Ｂ‥弾性板
６‥支持部材
【図１】
0004121279.tif 000002
【図２】
0004121279.tif 000003
【図３】
0004121279.tif 000004
【図４】
0004121279.tif 000005
【図５】
0004121279.tif 000006